(57)【要約】      （修正有）【課題】電波の漏洩対策をより良いものにできる加熱調理器を提供する。【解決手段】加熱調理器は、ケーシングと、ケーシング内に配置され、被加熱物を収容する加熱庫と、被加熱物を加熱するための電波を発生する電波発生装置(２４)と、電波発生装置(２４)からの電波を攪拌する回転アンテナと、回転アンテナを回転駆動する駆動部(１１)と、被加熱物を電波で加熱するとき、回転アンテナの位相角がケーシング外への電波の漏れを防ぐための位相角となっている状態で、電波の発生が開始するように、電波発生装置(２４)および駆動部(１１)を制御する制御装置(１００)とを備える。【選択図】図３
2014062670.tif 000002
【特許請求の範囲】
【請求項１】
ケーシングと、
上記ケーシング内に配置され、被加熱物を収容する加熱庫と、
上記被加熱物を加熱するための電波を発生する電波発生装置と、
上記電波発生装置からの電波を攪拌する回転アンテナと、
上記回転アンテナを回転駆動する駆動部と、
上記被加熱物を上記電波で加熱するとき、上記回転アンテナの位相角が上記ケーシング外への上記電波の漏れを防ぐための位相角となっている状態で、上記電波の発生が開始するように、上記電波発生装置および駆動部を制御する制御装置と
を備えることを特徴とする加熱調理器。
【請求項２】
請求項１に記載の加熱調理器において、
上記制御装置は、上記電波発生装置をオンしてから、予め設定された時間、上記回転アンテナの位相角を上記ケーシング外への上記電波の漏れを防ぐための位相角に維持する位相角維持手段を有することを特徴とする加熱調理器。
【請求項３】
請求項１または２に記載の加熱調理器において、
上記制御装置は、上記駆動部が上記回転アンテナを回転駆動しているとき、上記回転アンテナの位相角が上記ケーシング外への上記電波の漏れを防ぐための位相角になった状態で、上記回転アンテナが止まるように、上記駆動部をオフするオフ制御手段を有することを特徴とする加熱調理器。
【請求項４】
請求項１から３までのいずれか一項に記載の加熱調理器において、
上記制御装置は、上記被加熱物を上記電波で加熱するとき、上記回転アンテナの位相角が上記ケーシング外への上記電波の漏れを防ぐための位相角にしてから、上記電波発生装置をオンするオン制御手段を有することを特徴とする加熱調理器。
【発明の詳細な説明】
【技術分野】
【０００１】
本発明は加熱調理器に関する。
【背景技術】
【０００２】
従来、加熱調理器としては、前面側に開口部を有する加熱庫と、この加熱庫の開口部を開閉するドアと、加熱庫内に供給するマイクロ波を発生するマグネトロンとを備えたものがある(例えば特開２０１２−２１７３８号公報(特許文献１)参照)。この加熱庫内に供給されたマイクロ波が加熱庫の開口部の周縁部とドアとの間から漏れるのを防ぐため、加熱庫の開口部の周縁部とドアとの間の隙間が小さくなっている。
【先行技術文献】
【特許文献】
【０００３】
【特許文献１】特開２０１２−２１７３８号公報公報
【発明の概要】
【発明が解決しようとする課題】
【０００４】
しかしながら、上記従来の加熱調理器によるマイクロ波の漏洩対策には、改善の余地があるという問題がある。
【０００５】
特に、上記マイクロ波による加熱の初期は、マイクロ波のピークが立つため、マイクロ波の漏洩は大きくなりがちである。
【０００６】
そこで、本発明の課題は、電波の漏洩対策をより良いものにできる加熱調理器を提供することにある。
【課題を解決するための手段】
【０００７】
本発明者は、上記課題を解決するため、日夜研究を重ねて、加熱の初期における電波の漏れと、電波を攪拌する回転アンテナの位相角との間には、強い相関があることを見出した。
【０００８】
すなわち、上記課題を解決するため、本発明の加熱調理器は、
ケーシングと、
上記ケーシング内に配置され、被加熱物を収容する加熱庫と、
上記被加熱物を加熱するための電波を発生する電波発生装置と、
上記電波発生装置からの電波を攪拌する回転アンテナと、
上記回転アンテナを回転駆動する駆動部と、
上記被加熱物を上記電波で加熱するとき、上記回転アンテナの位相角が上記ケーシング外への上記電波の漏れを防ぐための位相角となっている状態で、上記電波の発生が開始するように、上記電波発生装置および駆動部を制御する制御装置と
を備えることを特徴としている。
【０００９】
上記構成によれば、上記制御装置は、被加熱物を電波で加熱するとき、回転アンテナの位相角がケーシング外への電波の漏れを防ぐための位相角となっている状態で、電波の発生が開始するように、電波発生装置および駆動部を制御するので、加熱の初期における電波の漏れを低減できる。したがって、上記電波の漏洩対策をより良いものにできる。
【００１０】
一実施形態の加熱調理器では、
上記制御装置は、上記電波発生装置をオンしてから、予め設定された時間、上記回転アンテナの位相角を上記ケーシング外への上記電波の漏れを防ぐための位相角に維持する位相角維持手段を有する。
【００１１】
上記実施形態によれば、上記位相角維持手段は、電波発生装置をオンしてから、予め設定された時間、回転アンテナの位相角をケーシング外への電波の漏れを防ぐための位相角に維持するので、加熱の初期における電波の漏れをより低減できる。
【００１２】
一実施形態の加熱調理器では、
上記制御装置は、上記駆動部が上記回転アンテナを回転駆動しているとき、上記回転アンテナの位相角が上記ケーシング外への上記電波の漏れを防ぐための位相角になった状態で、上記回転アンテナが止まるように、上記駆動部をオフするオフ制御手段を有する。
【００１３】
上記実施形態によれば、上記オフ制御手段は、駆動部が回転アンテナを回転駆動しているとき、回転アンテナの位相角がケーシング外への電波の漏れを防ぐための位相角になった状態で、回転アンテナが止まるように、駆動部をオフするので、次回の加熱の初期における電波の漏洩低減効果を確実に得られる。
【００１４】
また、上記オフ制御手段は、駆動部が回転アンテナを回転駆動しているとき、回転アンテナの位相角がケーシング外への電波の漏れを防ぐための位相角になった状態で、回転アンテナが止まるように、駆動部をオフするので、次回の加熱を始める前に、回転アンテナの位相角の確認および調整を行わずに済む。したがって、上記次回の加熱を迅速に開始することができる。
【００１５】
一実施形態の加熱調理器では、
上記制御装置は、上記被加熱物を上記電波で加熱するとき、上記回転アンテナの位相角が上記ケーシング外への上記電波の漏れを防ぐための位相角にしてから、上記電波発生装置をオンするオン制御手段を有する。
【００１６】
上記実施形態によれば、上記オン制御手段は、被加熱物を電波で加熱するとき、回転アンテナの位相角がケーシング外への電波の漏れを防ぐための位相角にしてから、電波発生装置をオンするので、加熱の初期における電波の漏洩低減効果を確実に得られる。
【発明の効果】
【００１７】
本発明の加熱調理器によれば、被加熱物を電波で加熱するとき、回転アンテナの位相角がケーシング外への電波の漏れを防ぐための位相角となっている状態で、電波の発生が開始するように、上記電波発生装置および駆動部を制御する制御装置を備えることによって、加熱の初期における電波の漏れを低減できるので、電波の漏洩対策を強化することができる。
【図面の簡単な説明】
【００１８】
【図１】図１は本発明の一実施形態の電子レンジの概略縦断面図である。
【図２】図２は上記電子レンジの回転アンテナの概略平面図である。
【図３】図３は上記電子レンジの制御ブロック図である。
【図４】図４は上記電子レンジの制御装置の制御に関するフローチャートである。
【図５】図５は本発明の他の制御ブロック図である。
【図６】図６は本発明の他の制御装置の制御に関するフローチャートである。
【図７】図７は本発明の他の制御ブロック図である。
【図８】図８は本発明の他の制御装置の制御に関するフローチャートである。
【発明を実施するための形態】
【００１９】
以下、本発明の加熱調理器を図示の実施の形態により詳細に説明する。
【００２０】
図１は、本発明の一実施形態の電子レンジを側方から見た概略縦断面図である。
【００２１】
上記電子レンジは、ケーシング１と、このケーシング１内に配置され、被加熱物３を収容する加熱庫２とを備えている。
【００２２】
上記加熱庫２は前側に開口部４を有し、ケーシング１の前側に回動可能に取り付けられたドア５で開口部４を開閉する。また、ケーシング１の前側には、閉鎖状態のドア５の上方に位置するように、操作パネル６を設けている。この操作パネル６は、ユーザーが、加熱条件を設定したり、加熱調理をスタートさせたりするときに押す複数のボタン(図示せず)を有している。
【００２３】
上記加熱庫２の下壁部７は下方に向かって膨出させ、下壁部７の内面に凹部８を設けている。この凹部８内に、円板形状で金属製の回転アンテナ９を収容している。この回転アンテナ９は、凹部８の底部との間に隙間を有すると共に、後述するセラミックトレイ１７との間にも隙間を有して、凹部８内で回転可能になっている。また、回転アンテナ９の中央部には金属製のアンテナシャフト１０の上端部を固定している。
【００２４】
上記アンテナシャフト１０は、凹部８の底部に回転可能に取り付けられている。また、アンテナシャフト１０の上端部は、下壁部７の外面から下方に突出しており、同期モータである回転アンテナ用モータ１１の回転軸１２と連結している。これにより、回転アンテナ用モータ１１の回転軸１２が回転すると、アンテナシャフト１０および回転アンテナ９が回転アンテナ用モータ１１の回転軸１２と一体に回転する。なお、回転アンテナ用モータ１１は駆動部の一例である。
【００２５】
また、上記アンテナシャフト１０の周囲には円板形状で樹脂製のアンテナホルダ１３を設けている。このアンテナホルダ１３はアンテナシャフト１０を回転可能に保持する。また、アンテナホルダ１３は、貫通孔１４を中央部に有する一方、フランジ部１５を外周縁部に有している。この貫通孔１４にはアンテナシャフト１０が挿通される。また、フランジ部１５は凹部８の底部にネジ(図示せず)で固定される。
【００２６】
また、上記凹部８の底部には、回転アンテナ９の位相角、回転および停止を検出するための受発光素子１６が取り付けられている。この受発光素子１６は、回転アンテナ９に向けて光を出射する出射部と、回転アンテナ９で反射された光を受光する受光部とを有する。
【００２７】
また、上記凹部８の周縁部上にセラミック製のセラミックトレイ１７を載置して、回転アンテナ９が加熱庫２内に露出しないようにしている。このセラミックトレイ１７の周縁部には耐熱ゴム製のトレイパッキン１８を固着させている。これにより、加熱庫２の左壁部１９、右壁部(図示せず)および後壁部２０の内面とセラミックトレイ１７の周縁部との間をシールしている。
【００２８】
図２は、上記回転アンテナ９を上方から見た概略図である。
【００２９】
上記回転アンテナ９は、アンテナシャフト１０の上端部がカシメや溶接などで固定される固定用貫通孔２１を中央部に有している。この固定用貫通孔２１の周囲には、平面視形状が矩形状を呈するマイクロ波放射用貫通孔２２を有している。マグネトロン２４(図３に示す)からの例えば２．４５ＧＨｚのマイクロ波はマイクロ波放射用貫通孔２２を通過して加熱庫２内に向かう。また、回転アンテナ９の外周縁部にはバランス用切り欠き部２３を設けて、回転アンテナ９の回転が安定するようにしている。なお、マグネトロン２４は電波発生装置の一例であり、マグネトロン２４が発生するマイクロ波は電波の一例である。
【００３０】
図３は上記電子レンジの制御ブロック図である。
【００３１】
上記電子レンジは、マイクロコンピュータと入出力回路などからなる制御装置１００を備えている。この制御装置１００は、加熱庫２とケーシング１との間に設置されており、操作パネル６,回転アンテナ用モータ１１,受発光素子１６,マグネトロン２４,湿度センサ２５および排気ファン用モータ２６などが接続されている。また、制御装置１００は、操作パネル６,受発光素子１６および湿度センサ２５などからの信号に基づいて、回転アンテナ用モータ１１,マグネトロン２４,マグネトロン２４および排気ファン用モータ２６などを制御する。
【００３２】
上記制御装置１００は、被加熱物３を加熱するとき、回転アンテナ９の位相角がケーシング１外へのマイクロ波の漏れを防ぐための位相角となっている状態で、マイクロ波の発生が開始するように、回転アンテナ用モータ１１およびマグネトロン２４を制御する。具体的には、制御装置１００は、ソフトウェアで構成されたオフ制御部１０１を有している。このオフ制御部１０１は、回転アンテナ用モータ１１が回転アンテナ９を回転駆動しているとき、回転アンテナ９の位相角がケーシング１外へのマイクロ波の漏れを防ぐための位相角になった状態で、回転アンテナ９が止まるように、回転アンテナ用モータ１１をオフする。
【００３３】
上記ケーシング１外へのマイクロ波の漏れを防ぐための位相角は、予め、完成品の電子レンジに計測を行って求めたものである。この計測では、例えば、マイクロ波を検出するセンサをドア５の上端部近傍に設置して、そのセンサの出力結果に基づいて、加熱の初期にマイクロ波の漏洩が最小となる回転アンテナ９の位相角を求める。この位相角を、ケーシング１外へのマイクロ波の漏れを防ぐための位相角として、制御装置１００に予め記憶させている。なお、オフ制御部１０１はオフ制御手段の一例である。また、回転アンテナ９の位相角とは、回転アンテナ９において予め設定した基準部分が、加熱庫２において予め設定して原点から回転した角度を指す。
【００３４】
また、上記制御装置１００は、受発光素子１６からの信号に基づいて、回転アンテナ９の位相角、回転および停止を検出できると共に、湿度センサ２５からの信号に基づいて、加熱庫２内の絶対湿度を検出できるようになっている。
【００３５】
さらに、上記制御装置１００は計時機能を有し、ユーザーが操作パネル６で入力した時間などに基づいて、被加熱物３の加熱調理を制御できるようにもなっている。
【００３６】
上記マグネトロン２４は、加熱庫２の下壁部７の右側方に配置されおり、導波管(図示せず)を介して加熱庫２の下壁部７に接続されている。この導波管は、マグネトロン２４が発生させたマイクロ波を凹部８内の空間へ導く。そして、回転アンテナ９がマグネトロン２４からのマイクロ波を攪拌する。
【００３７】
上記排気ファン用モータ２６は、外気を吸い込んでマグネトロン２４側へ吹き出すファン(図示せず)を回転駆動する。
【００３８】
図４は、上記制御装置１００による回転アンテナ用モータ１１およびマグネトロン２４の制御を説明するためのフローチャートである。この制御は、ドア５が閉まった状態で、ユーザーが操作パネル６にする操作に応じてスタートする。また、上記制御は、回転アンテナ９を回転させて被加熱物３を加熱するたびに行われる。
【００３９】
上記制御がスタートすると、まず、ステップＳ１０１で、回転アンテナ用モータ１１およびマグネトロン２４をオンにして、回転アンテナ９を回転させ、被加熱物３にマイクロ波を照射する。
【００４０】
次に、ステップＳ１０２で、被加熱物３の加熱が終了したか否かを判定する。このステップＳ１０２で、被加熱物３の加熱が終了したと判定すると、次のステップＳ１０３に進む。一方、ステップＳ１０２で、被加熱物３の加熱が終了していないと判定すると、再度、ステップＳ１０２を行う。すなわち、ステップＳ１０２は、被加熱物３の加熱が終了したと判定するまで繰り返される。なお、被加熱物３の加熱が終了した否かは、マグネトロン２４がオンされて経過した時間や、加熱庫２内の絶対湿度などに基づいて判定される。
【００４１】
次に、ステップＳ１０３で、マグネトロン２４をオフして、被加熱物３へのマイクロ波の照射を止める。
【００４２】
最後に、ステップＳ１０４で、回転アンテナ９の位相角がケーシング１外へのマイクロ波の漏れを防ぐための位相角になった状態で、回転アンテナ９が止まるように、オフ制御部１０１が回転アンテナ用モータ１１をオフする。
【００４３】
上記構成の電子レンジによれば、制御装置１００は、被加熱物３を加熱するとき、回転アンテナ９の位相角がケーシング１外へのマイクロ波の漏れを防ぐための位相角となっている状態で、マイクロ波の発生が開始するように、マグネトロン２４および回転アンテナ用モータ１１を制御するので、加熱の初期におけるマイクロ波の漏れを低減できる。したがって、上記電子レンジでは、マイクロ波の漏洩対策が改善されている。
【００４４】
また、上記オフ制御部１０１は、回転アンテナ用モータ１１が回転アンテナ９を回転駆動しているとき、回転アンテナ９の位相角がケーシング１外へのマイクロ波の漏れを防ぐための位相角になった状態で、回転アンテナ９が止まるように、回転アンテナ用モータ１１をオフするので、次回の加熱の初期におけるマイクロ波の漏洩低減効果を確実に得られる。
【００４５】
また、上記オフ制御手段は、回転アンテナ用モータ１１が回転アンテナ９を回転駆動しているとき、回転アンテナ９の位相角がケーシング１外へのマイクロ波の漏れを防ぐための位相角になった状態で、回転アンテナ９が止まるように、回転アンテナ用モータ１１をオフするので、次回の加熱を始める前に、回転アンテナ９の位相角の確認および調整を行わずに済む。したがって、上記次回の加熱を迅速に開始することができる。
【００４６】
上記実施形態では、受発光素子１６の出力に基づいて、回転アンテナ９の位相角を検出しているが、例えば、回転アンテナに突起を設け、この突起が回転アンテナの一回転毎に一回押すマイクロスイッチを加熱庫に取り付けて、このマイクロスイッチの出力に基づいて、回転アンテナ９の位相角を検出するようにしてもよい。
【００４７】
上記実施形態において、例えば輻射熱式電気ヒータを加熱庫２に取り付けて、オーブン調理を行えるようにしてもよい。
【００４８】
上記実施形態において、飽和水蒸気発生装置が発生させた飽和水蒸気を被加熱物３の加熱に利用できるようにしてもよい。
【００４９】
上記実施形態において、過熱水蒸気発生装置が発生させた１００℃以上の過熱水蒸気を被加熱物３の加熱に利用できるようにしてもよい。
【００５０】
上記実施形態において、マイクロ波を発生するマグネトロン２４を用いていたが、超短波(例えば９１５ＭＨｚ)を発生する電波波発生装置を用いてもよい。
【００５１】
上記実施形態では、オン制御部１０１は、ソフトウェアで構成されていたが、スイッチ、タイマ、比較器、および増幅器等のハードウェアで構成してもよい。
【００５２】
上記実施形態の制御装置１００に換えて、図５に示す制御装置２００を用いてもよい。この制御装置２００は、オフ制御部１０１の他に、ソフトウェアで構成された位相角維持部２０１も有している。この位相角維持部２０１は、マグネトロン２４をオンしてから、予め設定された時間(例えば５秒)、回転アンテナ９の位相角をケーシング１外へのマイクロ波の漏れを防ぐための位相角に維持する。なお、位相角維持部２０１は位相角維持手段の一例である。また、図５において、図３の構成部と同一の構成部は、図３の構成部の参照番号と同一の参照番号を付して説明を省略する。
【００５３】
以下、図６のフローチャートを用いて、制御装置２００による回転アンテナ用モータ１１およびマグネトロン２４の制御について説明する。この制御は、ドア５が閉まった状態で、ユーザーが操作パネル６にする操作に応じてスタートする。また、上記制御は、回転アンテナ９を回転させて被加熱物３を加熱するたびに行われる。
【００５４】
上記制御がスタートすると、まず、ステップＳ２０１で、回転アンテナ用モータ１１をオンにして、回転アンテナ９を回転させる。
【００５５】
次に、ステップＳ２０２で、マグネトロン２４をオンしてから、予め設定された時間(例えば５秒)が経過したか否かを判定する。このステップＳ２０２で、マグネトロン２４をオンしてから、予め設定された時間が経過したと判定すると、次のステップＳ２０３に進む。一方、ステップＳ２０２で、マグネトロン２４をオンしてから、予め設定された時間が経過していないと判定すると、再度、ステップＳ２０２を行う。すなわち、ステップＳ２０２は、マグネトロン２４をオンしてから、予め設定された時間が経過したと判定するまで繰り返される。
【００５６】
次に、ステップＳ２０３で、マグネトロン２４をオンにして、被加熱物３にマイクロ波を照射する。
【００５７】
次に、ステップＳ２０４で、被加熱物３の加熱が終了したか否かを判定する。このステップＳ２０４で、被加熱物３の加熱が終了したと判定すると、次のステップＳ２０５に進む一方、被加熱物３の加熱が終了していないと判定すると、再度、ステップＳ２０４を行う。なお、被加熱物３の加熱が終了した否かは、マグネトロン２４がオンされて経過した時間や、加熱庫２内の絶対湿度などに基づいて判定される。
【００５８】
次に、ステップＳ２０５で、マグネトロン２４をオフして、被加熱物３へのマイクロ波の照射を止める。
【００５９】
最後に、ステップＳ２０６で、回転アンテナ９の位相角がケーシング１外へのマイクロ波の漏れを防ぐための位相角になった状態で、回転アンテナ９が止まるように、オフ制御部１０１が回転アンテナ用モータ１１をオフする。
【００６０】
このように、上記位相角維持部２０１が、マグネトロン２４をオンしてから、予め設定された時間、回転アンテナ９の位相角をケーシング１外へのマイクロ波の漏れを防ぐための位相角に維持するので、加熱の初期におけるマイクロ波の漏れをより低減できる。
【００６１】
なお、上記位相角維持部２０１は、ソフトウェアで構成されていたが、スイッチ、タイマ、比較器、および増幅器等のハードウェアで構成してもよい。
【００６２】
また、上記実施形態の制御装置１００に換えて、図７に示す制御装置３００を用いてもよい。この制御装置３００は、オフ制御部１０１を有していないが、ソフトウェアで構成されたオン制御部３０１を有している。このオン制御部３０１は、被加熱物３をマイクロ波で加熱するとき、回転アンテナ９の位相角がケーシング１外へのマイクロ波の漏れを防ぐための位相角にしてから、マグネトロン２４をオンする。別の言い方をすれば、オン制御部３０１によるマグネトロン２４のオンのタイミングは、回転アンテナ９が回転駆動されて、回転アンテナ９の位相角がケーシング１外へのマイクロ波の漏れを防ぐための位相角になるタイミングと一致するようになっている。なお、オン制御部３０１はオン制御手段の一例である。また、図７において、図３の構成部と同一の構成部は、図３の構成部の参照番号と同一の参照番号を付して説明を省略する。
【００６３】
以下、図８のフローチャートを用いて、制御装置３００による回転アンテナ用モータ１１およびマグネトロン２４の制御について説明する。この制御は、ドア５が閉まった状態で、ユーザーが操作パネル６にする操作に応じてスタートする。また、上記制御は、回転アンテナ９を回転させて被加熱物３を加熱するたびに行われる。
【００６４】
上記制御がスタートすると、まず、ステップＳ３０１で、回転アンテナ用モータ１１をオンにする。
【００６５】
次に、ステップＳ３０２で、回転アンテナ９の位相角は目的の位相角になっているか否かを判定する。より詳しくは、ステップＳ３０２では、回転アンテナ９の位相角がケーシング１外へのマイクロ波の漏れを防ぐための位相角になっているか否かを判定する。このステップＳ３０２において、回転アンテナ９の位相角がケーシング１外へのマイクロ波の漏れを防ぐための位相角になっていると判定されると、次のステップＳ３０３に進む。一方、ステップＳ３０２において、回転アンテナ９の位相角がケーシング１外へのマイクロ波の漏れを防ぐための位相角になっていないと判定されると、再度、ステップＳ３０２を行う。すなわち、ステップＳ３０２は、回転アンテナ９の位相角がケーシング１外へのマイクロ波の漏れを防ぐための位相角になっていると判定されるまで繰り返される。
【００６６】
次に、ステップＳ３０３で、マグネトロン２４をオンにして、被加熱物３にマイクロ波を照射する。
【００６７】
次に、ステップＳ３０４で、被加熱物３の加熱が終了したか否かを判定する。このステップＳ３０４で、被加熱物３の加熱が終了したと判定すると、次のステップＳ３０５に進む一方、被加熱物３の加熱が終了していないと判定すると、再度、ステップＳ３０４を行う。なお、被加熱物３の加熱が終了した否かは、マグネトロン２４がオンされて経過した時間や、加熱庫２内の絶対湿度などに基づいて判定される。
【００６８】
最後に、ステップＳ３０５で、回転アンテナ用モータ１１およびマグネトロン２４をオフして、被加熱物３へのマイクロ波の照射を止める。
【００６９】
このように、上記オン制御部３０１は、被加熱物３をマイクロ波で加熱するとき、回転アンテナ９の位相角がケーシング１外へのマイクロ波の漏れを防ぐための位相角にしてから、マグネトロン２４をオンするので、加熱の初期におけるマイクロ波の漏洩低減効果を確実に得られる。すなわち、オン制御部３０１は、図３のオフ制御部１０１と同様の作用効果を奏することができる。
【００７０】
なお、上記オン制御部３０１は、ソフトウェアで構成されていたが、スイッチ、タイマ、比較器、および増幅器等のハードウェアで構成してもよい。
【００７１】
本発明の具体的な実施形態について説明したが、本発明は上記実施形態に限定されるものではなく、本発明の範囲内で種々変更して実施することができる。例えば、上記実施形態と上述の変形例とを適宜を組み合わせて、本発明の一実施形態としてもよい。
【００７２】
また、本発明のケーシング外への電波の漏れを防ぐための位相角は、電波発生装置から加熱庫へ電波を案内する導波管の形状、回転アンテナの形状、加熱庫の形状などによって変化するものであるが、上記実施形態のように事前に調べて、制御装置に記憶させておくことはできる。
【符号の説明】
【００７３】
１  ケーシング
２  加熱庫
３  被加熱物
４  開口部
９  回転アンテナ
１１  回転アンテナ用モータ
２４  マグネトロン
１００,２００,３００  制御装置
１０１  オフ制御部
２０１  位相角維持部
３０１  オン制御部
【図１】
2014062670.tif 000003
【図２】
2014062670.tif 000004
【図３】
2014062670.tif 000005
【図４】
2014062670.tif 000006
【図５】
2014062670.tif 000007
【図６】
2014062670.tif 000008
【図７】
2014062670.tif 000009
【図８】
2014062670.tif 000010